(57)【要約】【課題】  ＨＤＤのアクセス中に１次側電源スイッチがオフされるのを防止することができる画像形成装置を提供する。【解決手段】  ハードディスクドライブ１５を搭載した画像形成装置において、メイン電源スイッチの開閉カバーの開閉を認識する開閉カバー認識スイッチ１１と、開閉カバー認識スイッチにより開閉カバーの開放状態が認識されたときその旨表示、警告する操作部１６及び警告部１３とを備えた。【選択図】  図１
2005088252.tif 000002
【特許請求の範囲】
【請求項１】
ハードディスクドライブを搭載した画像形成装置において、メイン電源スイッチのカバーの開閉を認識するカバー開閉認識スイッチと、該カバー開閉認識スイッチにより前記カバーの開放状態が認識されたとき、その旨を表示、警告する操作部及び警告部とを備えたことを特徴とする画像形成装置。
【請求項２】
請求項１記載の画像形成装置において、前記操作部及び警告部による表示、警告は所定時間持続されることを特徴とする画像形成装置。
【請求項３】
請求項１記載の画像形成装置において、ハードディスクドライブへのアクセスが行われていない状態では、前記操作部及び警告部による表示、警告を行わないことを特徴とする画像形成装置。
【発明の詳細な説明】
【技術分野】
【０００１】
本発明は、ハードディスクドライブ（以下ＨＤＤ）を搭載している画像形成装置に関する。
【背景技術】
【０００２】
画像形成装置は通常、メイン電源スイッチ（以下１次側電源スイッチ）と省エネ用電源スイッチ（以下２次側電源スイッチ）の電源スイッチ構成からなる。ＨＤＤを搭載している画像形成装置において、ＨＤＤのアクセス中に画像形成装置の１次側電源スイッチオフ行為を行うと、ＨＤＤが動作しているにもかかわらず、供給電圧が強制的に０Ｖとなる。
【発明の開示】
【発明が解決しようとする課題】
【０００３】
そのため、ＨＤＤのアクセスが不十分となり、データの読み書きエラーが発生する。最悪の場合は、ＨＤＤのプラッタに傷をつけてしまい、ＨＤＤの故障も発生する要因となる。
本発明は、ＨＤＤのアクセス中に１次側電源スイッチがオフされるのを防止することができる画像形成装置を提供することを目的とする。
【課題を解決するための手段】
【０００４】
上記目的を達成するために、請求項１記載の発明は、ハードディスクドライブを搭載した画像形成装置において、メイン電源スイッチのカバーの開閉を認識するカバー開閉認識スイッチと、該カバー開閉認識スイッチにより前記カバーの開放状態が認識されたとき、その旨を表示、警告する操作部及び警告部とを備えたことを特徴とする。
請求項２記載の発明は、請求項１記載の画像形成装置において、前記操作部及び警告部による表示、警告は所定時間持続されることを特徴とする。
請求項３記載の発明は、請求項１記載の画像形成装置において、ハードディスクドライブへのアクセスが行われていない状態では、前記操作部及び警告部による表示、警告を行わないことを特徴とする。
【発明の効果】
【０００５】
本発明では、画像形成装置を使用するユーザーが電源をオフする際は、２次側電源スイッチをオフした後、メイン電源スイッチ(１次側電源スイッチ)をオフするように促す機構を採用することで所期の目的を達成することができる。
【発明を実施するための最良の形態】
【０００６】
以下、本発明の実施の形態を図面に従って説明する。
図１は本発明の実施の形態に係る画像形成装置のブロック図である。また図２はバッファの信号レベルを示す図である。本画像形成装置は、図１に示すように、開閉カバー認識スイッチ１１、バッファ１２、ブザーあるいはＬＥＤからなる警告部１３、画像処理制御ＩＣ１４、ＨＤＤ１５、操作部１６、電荷蓄積回路１７を備える。
ＨＤＤ１５を制御する画像処理制御ＩＣ１４は、ＨＤＤ１５をアクセス中（ポート１）は、ポート２にＬｏｗを出力ｄ、ＨＤＤ１５をアクセスしていない状態の場合（以下非アクセス）は、ポート２にＨｉｇｈを出力する。
【０００７】
本発明の画像形成装置は、１次側電源をオフする前にユーザーが図示しない開閉カバーを開けなくては、１次側電源スイッチにアクセスできないようになっている。そして、開閉カバーを開けると開閉カバー認識スイッチ１１がオンとなりこれを認識し、電圧が出力されるようになっている。
開閉カバー認識スイッチ１１から電圧が出力された際、ＨＤＤ１５がアクセスされているかを画像処理制御ＩＣ１４が確認している。画像処理制御ＩＣ１４がＨＤＤ１５に対してアクセス中は、ポート２がＬｏｗ出力である。このポート２はバッファ１２のＯＥに接続する。ＯＥがＬｏｗ入力となるため、バッファ１２は入力電圧を出力することができる。
開閉カバー認識スイッチ１１から電圧が出力され、バッファ１２のＯＥにＬｏｗが入っている状態のため、開閉カバー認識スイッチ１１にて出力した電圧がバッファ１２を通して(ポート３)、操作部制御ＩＣに入る。本実施形態の場合、画像処理制御ＩＣ１４が操作部制御ＩＣを兼ねるものとする。
画像処理制御ＩＣ１４のポート３がＨｉｇｈと認識した際は、ポート４を通して操作部６上に２次側電源オフを先に行うよう促すための表示を行う。また、バッファ１２の出力先には画像処理制御ＩＣ１４の他に警告部１３も接続されている。バッファ出力信号が入ってきた際は、警告部１３でブザーやＬＥＤ点灯などの警告を行う。
画像処理制御ＩＣ１４と操作部１６の間のポート４には電荷を蓄える機構である電荷蓄積回路１７を設けておき、ポート４に出力電圧が入った際は、一定時間操作部１６上に２次側電源オフを先に行うよう促すための表示ができるようにする。
開閉カバーが閉じている場合は、開閉カバー認識スイッチ１１がオフの状態であるため、電流が流れない状態となる。そのときバッファ１２の入力はオープンとなり、画像処理制御ＩＣ１４のポート３はＬｏｗを認識しているため、操作部６上には、２次側電源オフを先に行うよう促すための表示はしない。
開閉カバーが開いた状態では開閉カバー認識スイッチ１１がオンとなり電流が流れるが、その際、画像処理制御ＩＣ１４がＨＤＤ１５に対して非アクセス中の場合はポート２がＨｉｇｈとなるため、バッファ１２の入力が入ってきても出力しない。バッファ１２の出力がないことから、操作部１６のポート４はＬｏｗを認識しているため、操作部６上には、２次側電源オフを先に行うよう促すための表示はしない。
【０００８】
図３は本発明の画像形成装置における電源オフに関する動作のフローチャートである。ステップＳ１ないしＳ９において、上述の動作が実行される。
本発明では、開閉カバー認識スイッチ１１がオンとなった際、警告音（ブザー）やＬＥＤ点灯などにより、画像形成装置の１次側電源スイッチをオフしようとしているユーザーに対して、１次側電源オフを行う前に事前作業（２次側電源オフを先に行う行為）を行うように促す警告をすることができる。
また１次側電源スイッチの開閉カバーを開けた時点で、操作部１６に電源オフ前の事前作業（２次側電源オフを先に行う行為）を行うように促す表示をして、ユーザーに正しい電源オフ作業を行わせることができる。
また操作部１６に一定時間上記の表示を続けることにより、ユーザーは余裕を持ってその表示内容を読み取ることができる。
またＨＤＤ１５へのアクセスが行われていない状態で、１次側電源スイッチを切るために開閉カバーを開けた場合には、警告部１３や操作部１６に、２次側電源スイッチをオフするのを促す表示は行わないようにする。このことでユーザー側の誤った電源オフ操作においても、画像形成装置内のＨＤＤ１５に不具合が伴わない場合に、電源オフ操作の煩わしさを低減することができる。
【図面の簡単な説明】
【０００９】
【図１】本発明の実施の形態に係る画像形成装置のブロック図である。
【図２】バッファの信号レベルを示す図である。
【図３】本発明の画像形成装置における電源オフに関する動作のフローチャートである。
【符号の説明】
【００１０】
１１  開閉カバー認識スイッチ
１２  バッファ
１３  警告部
１４  画像処理制御ＩＣ
１５  ハードディスクドライブ(ＨＤＤ)
１６  操作部
１７  電荷蓄積回路
【図１】
2005088252.tif 000003
【図２】
2005088252.tif 000004
【図３】
2005088252.tif 000005